(57)【要約】  【課題】  鎮圧式畝整形管理機の鎮圧板まわりの調整やメンテナンスをする際に、一人でも容易に管理機本体を持ち上げて、タイヤまたはクローラを外すことを可能にする。  【解決手段】  管理機７に着脱スタンド１を着脱自在に取り付ける。着脱スタンド１は、ピン１２が挿通される孔を有するとともに管理機７の本体後部のエンジンベッド８下面に形成されているフレーム９の貫通孔１１部分に挿入可能であって前記貫通孔１１から抜き差し自在に挿入された前記ピン１２により前記フレーム９に回動自在に連結される連結部２と、該連結部２の下方に一体的に延設された支柱部３と、該支柱部３の下端に一体的に接続されるとともに自立した状態を保持可能な前後幅および左右幅を有する接地部４と、前記支柱部３の背面に該支柱部３と一体的に突設された踏み板５とから構成される。【選択図】  図３
2005341868.tif 000002
【特許請求の範囲】
【請求項１】
ピンが挿通される孔を有するとともに管理機本体後部のエンジンベッド下面に形成されている二山クレビスの貫通孔部分に挿入可能であって前記貫通孔から抜き差し自在に挿入された前記ピンにより前記二山クレビスに回動自在に連結される連結部と、
該連結部の下方に一体的に延設された支柱部と、
該支柱部の下端に一体的に接続されるとともに自立した状態を保持可能な前後幅および左右幅を有する接地部と、
前記支柱部の背面に該支柱部と一体的に突設された踏み板と、
を備えたことを特徴とする管理機用着脱スタンド。
【請求項２】
請求項１に記載の管理機用着脱スタンドにおいて、
前記支柱部の前面上部に該支柱部と一体的に突設されたストッパーを備えたことを特徴とする管理機用着脱スタンド。
【請求項３】
請求項１または２に記載の管理機用着脱スタンドにおいて、
前記支柱部を互いに重合された２枚の板材により構成するとともに、該２枚の板材をビスにより締結して長手方向の長さを調節可能にすることにより支柱部の高さを変更可能にしたことを特徴とする管理機用着脱スタンド。
【発明の詳細な説明】
【技術分野】
【０００１】
本発明は、管理機、特に鎮圧式畝整形管理機に着脱自在に取り付けられるスタンドに関する。詳しくは、鎮圧板の調整やメンテナンスの際に、管理機にスタンドを着脱自在に取り付けることにより、鎮圧板の直近に位置しているタイヤまたはクローラを地面から離間させ、次いで、タイヤまたはクローラを取り外して、鎮圧板の調整やメンテナンスを可能にするものである。
【背景技術】
【０００２】
従来、への字型のいわゆるロータリ及び駆動一体型ミッションの前方にロータリを配置し、その後方にタイヤまたはクローラを配置し、そのロータリとタイヤまたはクローラとのやや中間の位置にミッションにより駆動されるＰＴＯ軸を取り出しそのＰＴＯ軸により鎮圧板を駆動する鎮圧式畝整形管理機がある。この鎮圧式畝整形管理機は、前部のロータリでかきあげた土をその後方に配置された鎮圧板で叩き整形している。この鎮圧板の直ぐ後方には、タイヤまたはクローラが位置しているため、鎮圧板まわりの調整やメンテナンスをする際は、管理機本体を一時的に持ち上げてタイヤまたはクローラを外してから行っていた。なお、鎮圧板を用いて畝を整形する装置としては、特許文献１に記載の畝突き板装置がある。
【特許文献１】特開２００３−１３４９０１号公報
【発明の開示】
【発明が解決しようとする課題】
【０００３】
上述したように、従来の鎮圧式畝整形管理機では、鎮圧板まわりの調整やメンテナンスをする際に、管理機本体を一時的に持ち上げてタイヤまたはクローラを外す手順が必要であり、 2人以上の人数で作業をしたり、大がかりな補助道具を使用したりして、大変な作業であった。そこで、本発明は、鎮圧板まわりの調整やメンテナンスをする際に、一人でも容易に、管理機本体を持ち上げてタイヤまたはクローラを外すことを可能にする管理機用着脱スタンドを提案することを目的とした。
【課題を解決するための手段】
【０００４】
上記課題を解決するために、本発明に係る管理機用着脱スタンドは、ピンが挿通される孔を有するとともに管理機本体後部のエンジンベッド下面に形成されている二山クレビスの貫通孔部分に挿入可能であって前記貫通孔から抜き差し自在に挿入された前記ピンにより前記二山クレビスに回動自在に連結される連結部と、該連結部の下方に一体的に延設された支柱部と、該支柱部の下端に一体的に接続されるとともに自立した状態を保持可能な前後幅および左右幅を有する接地部と、前記支柱部の背面に該支柱部と一体的に突設された踏み板とを備えたことを特徴とする。
なお、前記支柱部の前面上部に該支柱部と一体的に突設されたストッパーを備えることが好ましい。
また、前記支柱部を互いに重合された２枚の板材により構成するとともに、該２枚の板材をビスにより締結して長手方向の長さを調節可能にすることにより支柱部の高さを変更可能にすることも可能である。
【発明の効果】
【０００５】
以上述べたように本発明によれば、管理機本体後部のエンジンベッド下面に形成されている二山クレビスの貫通孔部分に、管理機用着脱スタンドの連結部を挿入して、ピンにより着脱自在に連結し、次いで、踏み板を下方へ踏み込みながら、管理機を後方へ引き上げることで、管理機は前輪とスタンドにより支持されてタイヤまたはクローラが地面より浮き上がり、タイヤまたはクローラが取り外しが可能となる。その結果、一人の作業者であっても、管理機から容易にタイヤまたはクローラを取り外して、タイヤまたはクローラの前方に位置している鎮圧板の調整やメンテナンスを実行することが可能となる。
【発明を実施するための最良の形態】
【０００６】
以下、図に基づいて本発明の実施形態を説明する。
図１は本発明を鎮圧式畝整形管理機に取り付けられる着脱スタンドに適用した場合の着脱スタンドの右側面図であり、図２は図１の背面図である。図３は図１および図２に示した着脱スタンドを鎮圧式畝整形管理機に取り付けた状態の側面図であり、図４は図３における着脱スタンドの取り付け部を示す縦断面図である。
【０００７】
図１および図２に示されるように、本発明に係る着脱スタンド１は、上端に形成された筒状の連結部２と、連結部２の下方に連結部２から一体的に延設された板材からなる支柱部３と、支柱部３の下端に一体的に接続されたコ字形の板材からなる接地部４と、支柱部３の背面下部に支柱部３から一体的に突設された踏み板５と、支柱部３の前面上部に支柱部３から一体的に突設されたストッパー６とから構成されている。
【０００８】
連結部２は、図３および図４に示されるように、鎮圧式畝整形管理機７のエンジンベッド８の下面に取り付けられている断面コ字形のフレーム９（二山クレビス）の内側に挿入されるため、フレーム９の内側間隔よりもやや短い幅に形成され、その孔は、フレーム９を貫通しているウエイト取り付け用の孔１１と同じ径に形成されている。また、連結部２は、フレーム９の内側に挿入された状態で外側の孔１１からピン１２が挿通されて、その先端に割りピン１３が挿着されることで、フレーム９に連結される。
【０００９】
支柱部３は、図３に示されるように、着脱スタンド１が管理機７に装着されたとき、管理機７の前輪１４と着脱スタンド１とで、管理機７を支え、その間に配置されているロータリ１５、鎮圧板１６およびタイヤ１７が地面から浮上するだけの高さを有している。また、接地部４は、図３に示されるように、着脱スタンド１が管理機７に装着されて自立しているときに、管理機７が左右に倒れることなく安定して支えられる左右方向の幅を有している。同様に、着脱スタンド１が自立した状態で着脱スタンド１が前後方向に倒れることなく安定して支えられる前後方向の幅を有している。ストッパー６は、着脱スタンド１が管理機７に装着されて自立しているときに、着脱スタンド１が図３で時計方向へ倒れてフレーム９と干渉することを防ぐためのものである。
【００１０】
次に、このように構成された着脱スタンド１の使用方法を説明する。管理機７が、本来の鎮圧および畝整形の作業をするときは、着脱スタンド１は、管理機７から外されている。ここで、作業途中で鎮圧板１６を調整または交換する必要が生じた場合は、管理機７のエンジンを停止した後、前輪１４を適当な高さに調節し、着脱スタンド１を横にした姿勢でその連結部２を、管理機７のフレーム９の内側に挿入して、外側の孔１１からピン１２を挿入し、先端に割りピン１３を挿着して、着脱スタンド１を管理機７に装着する。
【００１１】
次に、着脱スタンド１を地面に下ろす。この状態が、図３の右側に仮想線で示されている状態である。次に、接地部４の前端が地面に接している状態から、踏み板５に足（図示せず）を乗せて下方へ踏み込みながら、図示しない管理機７のハンドルを、手前（右方向）に引き上げる。すると、着脱スタンド１は接地部４の前端を支点にして時計方向に回動し、接地部４全面が地面に当接して着脱スタンド１が自立する。同時に、連結部２には、管理機７のフレーム９が乗り上げられて、管理機７は浮上し、前輪１４と着脱スタンド１とにより支えられる。この状態で、タイヤ１７と鎮圧板１６が地面から離間して浮上しているので、タイヤ１７を車軸から外して、鎮圧板１６を調整または交換する作業が可能になる。
【００１２】
次に、鎮圧板１６の調整または交換の作業が終了したら、タイヤ１７を車軸に取り付け、管理機７を前方へ静かに押し出す。すると、着脱スタンド１が反時計方向に回動しながら倒れて、タイヤ１７が接地する。ここで、割りピン１３を抜き取り、ピン１２をフレーム９から抜き取ることで、着脱スタンド１が管理機７から取り外される。これで、鎮圧および畝整形の作業の再開が可能となる。このように、本発明では、鎮圧板１６を調整または交換するときだけ、着脱スタンド１を管理機７に取り付けて、タイヤ１７を外すことが可能であり、着脱スタンド１が、管理機７の鎮圧および畝整形の作業に支障を及ぼすことがない。
【００１３】
なお、上述した実施形態では、タイヤ１７を使用している管理機７について、説明したが、本発明は、タイヤの代わりにクローラを用いた管理機にも適用可能である。また、図示しないが、図１の支柱部３を、２枚の板を前後に重合させて互いにビスにより締結する構造にすることで支柱部３の長さを調節可能にしておき、管理機７の機種によって異なるフレーム９から地面までの高さに対応可能にすることもできる。また、連結部２に挿入されるピン１２の代わりに、同径のボルトを使用することも可能である。
【産業上の利用可能性】
【００１４】
本発明は、鎮圧式畝整形管理機以外には、播種その他の用途の管理機にも利用可能である。
【図面の簡単な説明】
【００１５】
【図１】本発明に係る着脱スタンドの右側面図である。
【図２】図１の背面図である。
【図３】本発明に係る着脱スタンドを管理機に取り付けた状態の側面図である。
【図４】図３における着脱スタンドの取り付け部を示す縦断面図である。
【符号の説明】
【００１６】
１  着脱スタンド
２  連結部
３  支柱部
４  接地部
５  踏み板
６  ストッパー
７  鎮圧式畝整形管理機
８  エンジンベッド
９  フレーム
１１  孔
１２  ピン
１３  割りピン
１４  前輪
１５  ロータリ
１６  鎮圧板
１７  タイヤ
【図１】
2005341868.tif 000003
【図２】
2005341868.tif 000004
【図３】
2005341868.tif 000005
【図４】
2005341868.tif 000006